(57)【特許請求の範囲】
【請求項１】
コンロ台板の周辺部に複数個の五徳部片の基部を枢支して五徳部片を開位置と閉位置とに回動切換え自在とした五得を装備した携帯用ガスこんろにおいて、
ガスバーナーの側方に位置させて風防カバーを設け、
五徳部片を上下動自在とし且つバネ体により五徳部片を下方へ付勢し、
風防カバーの上端部に縦溝を形成して、開位置の五徳部片を風防カバーの上端部の縦溝と係止自在として、
開位置において五徳部片を回動を阻止するとともに、五徳部片を風防カバーで支持し、
五徳部片をバネ体に抗して上昇させることにより、五徳部片と風防カバーの縦溝との係止を解いて五徳部片を閉位置へ回動自在とし、開位置においては、風防カバーの縦溝とバネ体とにより、五徳部片の動揺を防ぎ鍋等を安定良く支持することを特徴とする携帯用ガスコンロ。
【発明の詳細な説明】
【０００１】
【発明の属する技術分野】
本願発明は、燃料を気体とし野外において使用するところの、ガスバーナー式の携帯コンロに関するものである。より詳しくは、ガスバーナーの上方周囲に位置させて五得を装備して、大型の鍋器を使用しての煮炊を可能とする携帯ガスこんろに関するものである。
【０００２】
【従来の技術】
この種の五得を装備した携帯コンロに関して、実開平２−４８７０５号「携帯式ガスバーナ」が、コンロ台板の周辺部に複数個の支軸を植立させ、該支軸で五徳部片（線状体）の基部を枢支して五徳部片（線状体）を回動自在として、五徳部片の開位置と、五徳部片をコンロケース内に収納する、五徳部片（線状体）の閉位置とに、五徳部片（線状体）を開閉自在とする五得を装備した携帯用こんろを開示している。
【０００３】
【発明が解決しようとする課題】
上記の公知技術においては、五徳部片（線状体）の開位置においては、係合突起と係止溝よりなる係止機構により五徳部片を廻止めしてい。
従って、開位置において、五徳部片（線状体）を固定状態に確実に維持できないとともに、五徳の支持は支軸のみであるため、五徳が動揺するおそれがあり、大型の鍋器を、安定状態で確実に支持できない問題点がある。
本発明は、五徳部片（線状体）の開位置において、五徳部片を確実に固定し強固に支持することを課題とする。
【０００４】
【課題を解決するための手段】
本発明は、ガスバーナーの側方に位置させて風防カバーを設け、五徳部片を上下動自在とし且つバネ体により五徳部片を下方へ付勢し、風防カバーの上端部に縦溝を形成して、開位置の五徳部片を風防カバーの上端部の縦溝と係止自在として、開位置において五徳部片を回動を阻止するとともに、五徳部片を風防カバーで支持する。
【０００５】
【作用】
五徳部片の開位置においては、風防カバーの縦溝とバネ体とにより、五徳部片の動揺を防ぎ鍋等を安定良く支持する。
五徳部片の閉位置においては、風防カバーの内側に収納されて、平面視で五徳を装備した携帯ガスこんろの収納容積を縮小する。
五徳部片をバネ体に抗して上昇させることにより、五徳部片と風防カバーの縦溝との係止を解いて五徳部片を閉位置へ回動自在とする。
【０００６】
【発明の実施の態様】
以下、図面を参照して説明する実施例にもとづいて、以下本発明の実施の態様を詳細に説明する。
図１ないし図３を参照して、１はガスバーナー、２はコンロ台板、３は点火機構、４は器具栓つまみ、５は器具栓ブロック、６はガスカートリッジ、７はこんろケースである。
【０００７】
本発明は、五得１０を、その基部をコンロ台板２の周辺部に枢支して回動自在とした複数個（実施例では、４個）の五徳部片１１で構成し、五徳部片の開位置において、風防カバーの上端部にの五徳部片１１を係止させて五徳部片１１の回動を阻止する。
【０００８】
こんろケース７の上方をコンロ台板よりも上方に延長して風防カバー１２を形成いる。なお、実施例では、こんろケース７で形成した風防カバー１２の上方に第２風防カバー１２ａを設けて、風防カバーを２段構成とした。風防カバー１２および第２風防カバー１２ａに通気孔８を形成する。
上段の風防カバー１２ａに、閉位置の五徳部片１１と係止する縦溝１３を複数個（実施例では、４個）形成する。
【０００９】
なお、上段の風防カバー１２ａの存在しない１段構成でこんろケース７の上方部で風防カバー１２を構成した場合には、風防カバー１２の上端部に縦溝１３を形成することは勿論である。
五得１０を構成する複数個（４個）の五徳部片１１には、基部に支軸１４を固定し枢支部14aを垂下する。
【００１０】
五徳部片１１の基部を枢支するための構造として、実施例においては、図２および図５を参照して、コンロ台板２の上方に第２台板９を設け、コンロ台板２および第２台板９の周辺部に枢支孔１５を形成し、該枢支孔１５に五徳部片１１の枢支部14aを挿入し、枢支部 14aの下端に止め具（ワッシャー）１６を取付け、コンロ台板２と止め具１６との間に位置してバネ体（スプリング）１７を枢支部14aに挿入することで、五徳部片１１を下方へバネ体で付勢するとともに、支軸１４の枢支部14a（コンロ台板２および第２台板９の枢支孔１５）を中心として五徳部片１１を回動自在とする。
【００１１】
五徳部片１１にも通気孔１８を形成するとともに、五徳部片１１の上面に切溝１９を形成して鍋等の支持をより安定化する。
【００１２】
五得は、五得部片１１をガスバーナーの側方で放射方向に位置させ開位置とすることで、携帯型こんろの周囲へ放射状に五得部片１１を突出させ鍋等の支持範囲を拡大することで、大型の鍋等による調理を可能とする。五得部片１１の開位置では、図３および図５の(a)を参照して、五得部片１１は風防ケースの上端部の縦溝１３と係止した状態で使用するとともに、ばね体（スプリング）１７により五得部片１１は下方へ付勢されることで、五得部片１１の回動方向やよび上下方向の動揺は阻止される。従って、五得部片１１は開位置に確実強固に固定維持される。
五得部片１１を風防カバーの内側に収納することで、非使用時（収納保管時、移動時）には、図４に示すごとく、携帯型こんろの容積を縮小する。
各五得部片１１の先端部は隣接する五得部片１１の基部と風防カバー１２の内面との間に挟持され、ばね体１７により下方へ付勢されて図５の(b)に示す下方位置に維持されている。
【００１３】
開位置より閉位置への変更に当たっては、ばね体１７に抗して五得部片１１を上昇させて、各五得部片１１の基部と風防ケース１２の縦溝１３との係止を解除したのち、各五得部片１１を風防カバーの内側へ回動する。  閉位置より開位置への変更に当たっては、ばね体１７に抗して五得部片１１を上昇させて、各五得部片１１の下面を風防ケース１２の上端よりも上方へ引き上げ各五得部片１１の回動を自由としたのち、各五得部片１１を風防ケース１２の縦溝１３の位置まで回動することで、各五得部片１１はばね体１７の作用で引き下げられ、開位置となる。
【００１４】
実施例では、各五得部片１１を平面視で風防カバーの１／４円に近い円弧としたので、風防カバー１２の内面に沿って収納され、４個の五得部片１１は平面視で風防カバー１２よりもやや小さい円形で収納状態を維持している。円弧形状に変えて他の形状、例えば、直線形状としてもよいことは勿論である。
【００１５】
【発明の効果】
本発明は、五得部片１１をガスバーナーの側方で放射方向に位置させ開位置とすることで、囲へ放射状に五得部片１１を突出させ鍋等の支持範囲を拡大することで、大型の鍋等による調理を可能とする五得を装備した携帯型こんろにおいて、五徳部片の開位置においては、五得部片１１と風防カバーの縦溝との係止により五徳部片の水平方向の動揺が阻止されるとともに五得部片１１の中間部が風防カバーで支持され、ばね体１７により下方へ付勢されていることで上下方向の動揺は阻止される。従って、五徳部片の動揺を防ぐとともに五徳を風防カバーで支持することにより、五徳を確実強固に携帯型こんろに固定維持して、大型の鍋等を安定良く支持し大鍋等による調理を容易にする効果を有する。
五徳部片の閉位置においては、風防カバーの内側に五徳部片を収納することで、非使用時（収納保管時、移動時）には、五得を装備した携帯型こんろの容積を縮小する。
【図面の簡単な説明】
【図１】  本願発明の実施例を示す携帯用ガスこんろの使用状態を示し、ガスカートリッジと一体化して示す斜視図。
【図２】  同じく縦断面図。
【図３】  同じく平面図。
【図４】  五得の収納状態における携帯用ガスこんろの斜視図。
【図５】  五徳部片の係止支持機構を示し、ａ図は五得の開位置、ｂ図は五得の閉位置をそれぞれ示す。
【符号の説明】
８    通気孔
１０    五得
１１    五徳部片
１２    風防カバー
１３    縦溝
１４    支軸
１７    バネ体（スプリング）
【図１】
0003671990.tif 000002
【図２】
0003671990.tif 000003
【図３】
0003671990.tif 000004
【図４】
0003671990.tif 000005
【図５】
0003671990.tif 000006